(57)【要約】【課題】巻き取り装置に接触しないように取り付けることができ、使用状態の枠体を間違えて後側へ押し込んでも、枠体および排紙受け部材が使用状態から不使用状態に移行せず、印刷機の下側の空間を有効に利用することのできる排紙受け装置を提供する。【解決手段】円弧部分１４ｃを有して対向する左、右側枠部１４Ｌ，１４Ｒを前、後側枠部１５Ｆで連結した枠体１３と、対向する左、右側脚部４３Ｌ，４３Ｒに取付具１９で左、右端部が取り付けられた支持部材１８と、前側枠部１５Ｆに前端部が取り付けられ、左、右側枠部１４Ｌ，１４Ｒに沿うように弛ませた後、後側枠部の上側を通過して後端部が支持部材１８に取り付けられた布２１と、左、右側脚部１４Ｌ，１４Ｒに対向させて設けられ、左、右側枠部１４Ｌ，１４Ｒの円弧部分１４ｃの前後方向への移動を案内する左、右側案内機構２３Ｌとを備えた排紙受け装置１１。【選択図】図１
2008290857.tif 000002
【特許請求の範囲】
【請求項１】
印刷機から排出される排紙を受ける排紙受け装置であって、
円弧部分を有して左右方向で対向する左、右側枠部、この左、右側枠部の前、後端部を連結する前、後側枠部を有する枠体と、
前記印刷機を支えて対向する左、右側脚部の下側後端部に左、右端部が取り付けられた支持部材と、
前記前側枠部に前端部が取り付けられ、前記左、右側枠部に沿うように弛ませた後、前記後側枠部の上側を通過して後端部が前記支持部材に取り付けられた、可撓性を有する排紙受け部材と、
前記左、右側脚部に対向させて設けられ、前記左、右側枠部の円弧部分の前後方向への移動を案内する左、右側案内機構とからなる、
ことを特徴とする排紙受け装置。
【請求項２】
印刷機から排出される排紙を受ける排紙受け装置であって、
円弧部分を有して左右方向で対向する左、右側枠部、この左、右側枠部の前、後端部を連結する前、後側枠部を有する枠体と、
前記左、右側枠部に沿うように弛ませて前記前、後側枠部に前、後端部が取り付けられた、可撓性を有する排紙受け部材と、
前記印刷機を支えて対向する左、右側脚部に対向させて設けられ、前記左、右側枠部の円弧部分の前後方向への移動を案内する左、右側案内機構とからなる、
ことを特徴とする排紙受け装置。
【請求項３】
請求項１または請求項２に記載の排紙受け装置において、
前記左側案内機構を、前記左側枠部の円弧部分を保持するように配置した複数の案内部材で構成し、
前記右側案内機構を、前記右側枠部の円弧部分を保持するように配置した複数の案内部材で構成するとともに、
前記左側案内機構を構成する１つの案内部材を、前記左側枠部の円弧部分を挟んで位置する前記左側案内機構を構成する他の案内部材側へ付勢部材の付勢力によって押し付ける左側付勢機構と、前記右側案内機構を構成する１つの案内部材を、前記右側枠部の円弧部分を挟んで位置する前記右側案内機構を構成する他の案内部材側へ付勢部材の付勢力によって押し付ける右側付勢機構との少なくとも一方を設けた、
ことを特徴とする排紙受け装置。
【請求項４】
請求項３に記載の排紙受け装置において、
前記各案内部材を、溝付きプーリにした、
ことを特徴とする排紙受け装置。
【発明の詳細な説明】
【技術分野】
【０００１】
この発明は、印刷機から排出される排紙（紙）、例えば、印刷済みの排紙を受ける排紙受け装置に関するものである。
【背景技術】
【０００２】
図１３、図１４に示すように、従来の、印刷機から排出される印刷済みの排紙を受ける排紙受け装置５１は、図示を省略した印刷機が載置され、または取り付けられる、支持台４１の天板４２を支えて対向する左、右側脚部４３Ｌ，４３Ｒに差し渡して取り付けられた補強部材４４に、左、右端部が取付具５３によって取り付けられた支持部材５２と、左、右側脚部４３Ｌ，４３Ｒの外側の下側前端部に前後方向へ回動自在（回動可能）に取り付けられた、正面視下側へ開放したコ字状の回動部材５４と、この回動部材５４の上側水平部５４ａに前端部が取り付けられ、後端部が支持部材５２に取り付けられた、可撓性を有する排紙受け部材５５と、左、右側脚部４３Ｌ，４３Ｒの外側に設けられ、回動部材５４が前側へ必要以上に回動するのを規制する回動規制部５６とで構成されている。
なお、左、右側脚部４３Ｌ，４３Ｒの前後の下側には、キャスタ４５がそれぞれ取り付けられている。
【０００３】
この排紙受け装置５１は、図１３に示すように、回動部材５４を前側へ回動させて回動規制部５６に当接させると、使用状態、すなわち、排紙を受ける状態にすることができるので、例えば、図１３の右下前側の排紙受け部材５５に供給される排紙を、排紙受け部材５５が案内するとともに、排紙受け部材５５で受けることができる。
そして、図１４に示すように、回動部材５４を後側へ回動させて左、右側脚部４３Ｌ，４３Ｒに当接させると、排紙受け装置５１を不使用状態、すなわち、排紙を受けない状態にすることができる。
【発明の開示】
【発明が解決しようとする課題】
【０００４】
従来の上記した排紙受け装置５１は、排紙受け部材５５で排紙を受けるので、決まった大きさ（定尺）の排紙を受けることができるものの、長尺な排紙を受けることができない。
そこで、長尺な排紙を巻き取る巻き取り装置を、例えば、補強部材４４に取り付け（装着し）、長尺な排紙を巻き取ることができるようにしようとすると、巻き取り装置に排紙受け装置５１が接触するので、巻き取り装置を取り付けることができなかった。
また、回動部材５４が回動自在（回動可能）に取り付けられているので、図１３に示す使用状態（排紙を受ける状態）で、例えば、間違えて回動部材５４を押し込んで後側へ回動させると、回動部材５４が簡単に後側へ回動して図１４に示す不使用状態（排紙を受けない状態）に移行し、印刷機から排出される印刷済みの排紙を受けることができなくなる。
また、回動部材５４を使用状態から不使用状態、または、不使用状態から使用状態に移行させるためには、回動部材５４を、回動支点を中心にして回動させる必要があるので、回動部材５４および排紙受け部材５５が横切る天板４２（印刷機）の下側に空間が必要となり、この空間を有効に活用することができない。
【０００５】
この発明は、上記したような不都合を解消するためになされたもので、巻き取り装置に接触しないように取り付けることができ、使用状態の枠体を間違えて後側へ押し込んでも、枠体および排紙受け部材が不使用状態に移行せず、印刷機の下側の空間を有効に利用することのできる排紙受け装置を提供するものである。
【課題を解決するための手段】
【０００６】
この発明は、以下のような発明である。
（１）印刷機から排出される排紙を受ける排紙受け装置であって、円弧部分を有して左右方向で対向する左、右側枠部、この左、右側枠部の前、後端部を連結する前、後側枠部を有する枠体と、前記印刷機を支えて対向する左、右側脚部の下側後端部に左、右端部が取り付けられた支持部材と、前記前側枠部に前端部が取り付けられ、前記左、右側枠部に沿うように弛ませた後、前記後側枠部の上側を通過して後端部が前記支持部材に取り付けられた、可撓性を有する排紙受け部材と、前記左、右側脚部に対向させて設けられ、前記左、右側枠部の円弧部分の前後方向への移動を案内する左、右側案内機構とからなることを特徴とする。
（２）印刷機から排出される排紙を受ける排紙受け装置であって、円弧部分を有して左右方向で対向する左、右側枠部、この左、右側枠部の前、後端部を連結する前、後側枠部を有する枠体と、前記左、右側枠部に沿うように弛ませて前記前、後側枠部に前、後端部が取り付けられた、可撓性を有する排紙受け部材と、前記印刷機を支えて対向する左、右側脚部に対向させて設けられ、前記左、右側枠部の円弧部分の前後方向への移動を案内する左、右側案内機構とからなることを特徴とする。
（３）（１）または（２）に記載の排紙受け装置において、前記左側案内機構を、前記左側枠部の円弧部分を保持するように配置した複数の案内部材で構成し、前記右側案内機構を、前記右側枠部の円弧部分を保持するように配置した複数の案内部材で構成するとともに、前記左側案内機構を構成する１つの案内部材を、前記左側枠部の円弧部分を挟んで位置する前記左側案内機構を構成する他の案内部材側へ付勢部材の付勢力によって押し付ける左側付勢機構と、前記右側案内機構を構成する１つの案内部材を、前記右側枠部の円弧部分を挟んで位置する前記右側案内機構を構成する他の案内部材側へ付勢部材の付勢力によって押し付ける右側付勢機構との少なくとも一方を設けたことを特徴とする。
（４）（３）に記載の排紙受け装置において、前記各案内部材を、溝付きプーリにしたことを特徴とする。
【発明の効果】
【０００７】
この発明の排紙受け装置によれば、排紙受け部材を支持する枠体の左、右側枠部の円弧部分の前後方向への移動を左、右側案内機構で案内する構成としたので、左、右側案内機構を取り付け（装着す）る上下方向の位置を選択することにより、巻き取り装置に接触しないように排紙受け装置を取り付け（装着す）ることができる。
したがって、排紙受け装置と巻き取り装置とを印刷機の下側に取り付け（装着し）ておき、決まった大きさ（定尺）の排紙を排紙受け装置で受けることができ、長尺な排紙を巻き取り装置で巻き取ることができるようにすることができる。
また、排紙受け部材を支持する枠体の左、右側枠部の円弧部分の前後方向への移動を左、右側案内機構で案内する構成としたので、使用状態（排紙を受ける状態）の枠体を間違えて後側へ押し込んでも、枠体の押し込み方向と枠体の移動方向とが一致せず、枠体および排紙受け部材が不使用状態（排紙を受けない状態）に移行せず、使い勝手のよいものになる。
また、枠体および排紙受け部材を使用状態から不使用状態に移行させても、枠体は印刷機の下側を左、右側案内機構で案内されて移動するので、すなわち、印刷機の下側の空間を枠体および排紙受け部材が横切らないので、例えば、巻き取り装置などを印刷機の下側の空間に配置することができ、印刷機の下側の空間を有効に利用することができる。
また、巻き取り装置などを印刷機の下側の空間に配置する場合、枠体および排紙受け部材を不使用状態にすることにより、印刷機の下側の空間の前面から枠体および排紙受け部材を移動させて印刷機の下側の空間の前面を開放させることができるので、巻き取り装置などの取付、取外、メンテナンスを効率よく簡単に行うことができる。
そして、排紙受け部材の前端部を枠体の前側枠部に取り付け、排紙受け部材を左、右側枠部に沿うように弛ませ、後側枠部の上側を通過させた後にその後端部を支持部材に取り付けたので、枠体を押し込んで左、右側案内機構で案内させ、枠体および排紙受け部材を不使用状態にすると、枠体の後側枠部が後側へ移動しながら上昇することにより、排紙受け部材を床に接触しないように後側枠部で持ち上げることができ、排紙受け部材の汚損を防止することができる。
さらに、左側案内機構を、左側枠部の円弧部分を保持するように配置した複数の案内部材で構成し、右側案内機構を、右側枠部の円弧部分を保持するように配置した複数の案内部材で構成するとともに、左側案内機構を構成する１つの案内部材を、左側枠部の円弧部分を挟んで位置する左側案内機構を構成する他の案内部材側へ付勢部材の付勢力によって押し付ける左側付勢機構と、右側案内機構を構成する１つの案内部材を、右側枠部の円弧部分を挟んで位置する右側案内機構を構成する他の案内部材側へ付勢部材の付勢力によって押し付ける右側付勢機構との少なくとも一方を設けたので、１つの案内部材がロック機構、ブレーキ機構として機能することとなり、枠体および排紙受け部材を任意の位置に安定した状態で停止させることができるとともに、枠体のがたつきを少なくすることができる。
そして、各案内部材を、溝付きプーリにしたので、円弧部分と溝付きプーリとの接触が転がり接触となることにより、操作性および耐久性を向上させることができる。
【発明を実施するための最良の形態】
【０００８】
この発明の実施例を図に基づいて説明する。
【０００９】
図１はこの発明の第１実施例である排紙受け装置の使用状態を示す斜視図、図２は図１の使用状態における排紙受け装置の構成部品の位置関係を示す説明図、図３はこの発明の第１実施例である排紙受け装置の不使用状態を示す斜視図、図４は図３の不使用状態における排紙受け装置の構成部品の位置関係を示す説明図、図５は左側案内機構の構成を示す説明図、図６は右側案内機構の構成を示す説明図であり、図１３または図１４と同一または相当部分に同一符号を付し、その説明を省略する。
なお、図２および図４は、右側脚部側から左側脚部側を見た状態で、巻き取り装置を取り付けた状態としてある。
【００１０】
図１〜図４において、排紙受け装置１１は、下側へ突出して上側へ開放した円弧部分１４ｃの前後に接線方向へ延びる直線部分１４ｓを有して左右方向で対向する、例えば、丸棒または中空パイプからなる左、右側枠部１４Ｌ，１４Ｒ、この左、右側枠部１４Ｌ，１４Ｒの前、後端部に連結具１６によって取り付けられ、左、右側枠部１４Ｌ，１４Ｒを連結する、例えば、丸棒または中空パイプからなる前、後側枠部１５Ｆ，１５Ｒを有する平面視矩形の枠体１３と、図示を省略した印刷機を支えて対向する左、右側脚部４３Ｌ，４３Ｒの下側後端部に左、右端部が取付具１９によって水平に取り付けられた、例えば、丸棒または中空パイプからなる支持部材１８と、前側枠部１５Ｆに前端部が取り付けられ、左、右側枠部１４Ｌ，１４Ｒに沿うように弛ませた後、後側枠部１５Ｒの上側を通過して後端部が支持部材１８に取り付けられた、可撓性を有する排紙受け部材としての布２１と、左、右側脚部４３Ｌ，４３Ｒの対向面に対向させて設けられ、左、右側枠部１４Ｌ，１４Ｒの円弧部分１４ｃの前後方向への移動を案内する左、右側案内機構２３Ｌ，２３Ｒとで構成されている。
【００１１】
上記した左側案内機構２３Ｌは、図５に示すように、左側脚部４３Ｌの下内側に右側脚部（４３Ｒ）に対向させて取り付けられる取付部材としての左側取付板２４Ｌと、この左側取付板２４Ｌの右側脚部（４３Ｒ）側に取り付けられ、左側枠部１４Ｌの円弧部分１４ｃの下側を支える案内部材または下側前支え部材（下側支え部材）としての下側前支え溝付きプーリ２５Ｆおよび案内部材または下側後支え部材（下側支え部材）としての下側後支え溝付きプーリ２５Ｒと、左側取付板２４Ｌの右側脚部（４３Ｒ）側に、下側前支え溝付きプーリ２５Ｆよりも前側に位置させて取り付けられ、左側枠部１４Ｌの円弧部分１４ｃまたは前側の直線部分１４ｓの下側を支える案内補助部材または下側支え補助部材としての下側前支え補助ローラ２６Ｆと、左側取付板２４Ｌの右側脚部（４３Ｒ）側に、下側後支え溝付きプーリ２５Ｒよりも後側に位置させて取り付けられ、左側枠部１４Ｌの円弧部分１４ｃまたは後側の直線部分１４ｓの下側を支える案内補助部材または下側支え補助部材としての下側後支え補助ローラ２６Ｒと、下側前支え溝付きプーリ２５Ｆと下側後支え溝付きプーリ２５Ｒとの間に位置し、左側枠部１４Ｌの円弧部分１４ｃの上側を支える案内部材または上側支え部材としての上側支え溝付きプーリ２７とで構成されている。
そして、左側案内機構２３Ｌの上側支え溝付きプーリ２７は、左側枠部１４Ｌの円弧部分１４ｃを挟んで位置する下側前、後支え溝付きプーリ２５Ｆ，２５Ｒ側へ左側付勢機構３２Ｌによって押し付けられている。
【００１２】
上記した左側付勢機構３２Ｌは、左側取付板２４Ｌの右側脚部（４３Ｒ）側に取付具３３で回動可能に取り付けられ、右側脚部（４３Ｒ）側に上側支え溝付きプーリ２７が取り付けられた回動部材としての回動板３４と、左側取付板２４Ｌと回動板３４との間に架け渡され、上側支え溝付きプーリ２７を左側枠部１４Ｌの円弧部分１４ｃの上側に押し付ける付勢部材としてのコイルスプリング３５とで構成されている。
なお、左側付勢機構３２Ｌの回動板３４は、自身に設けられた切欠凹部３４ｎ内に位置するように、左側取付板２４Ｌの右側脚部（４３Ｒ）側に取り付けられた回動規制部材としての回動規制ピン３７によって回動範囲を規制されている。
【００１３】
上記した右側案内機構２３Ｒは、図６に示すように、右側脚部４３Ｒの下内側に左側脚部（４３Ｌ）に対向させて取り付けられる取付部材としての右側取付板２４Ｒと、この右側取付板２４Ｒの左側脚部（４３Ｌ）側に取り付けられ、右側枠部１４Ｒの円弧部分１４ｃの下側を支える案内部材または下側前支え部材（下側支え部材）としての下側前支え溝付きプーリ２５Ｆおよび案内部材または下側後支え部材（下側支え部材）としての下側後支え溝付きプーリ２５Ｒと、右側取付板２４Ｒの左側脚部（４３Ｌ）側に、下側前支え溝付きプーリ２５Ｆよりも前側に位置させて取り付けられ、右側枠部１４Ｒの円弧部分１４ｃまたは前側の直線部分１４ｓの下側を支える案内補助部材または下側支え補助部材としての下側前支え補助ローラ２６Ｆと、右側取付板２４Ｒの左側脚部（４３Ｌ）側に、下側後支え溝付きプーリ２５Ｒよりも後側に位置させて取り付けられ、右側枠部１４Ｒの円弧部分１４ｃまたは後側の直線部分１４ｓの下側を支える案内補助部材または下側支え補助部材としての下側後支え補助ローラ２６Ｒと、下側前支え溝付きプーリ２５Ｆと下側後支え溝付きプーリ２５Ｒとの間に位置し、右側枠部１４Ｒの円弧部分１４ｃの上側を支える案内部材または上側支え部材としての上側支え溝付きプーリ２７とで構成されている。
そして、右側案内機構２３Ｒの上側支え溝付きプーリ２７は、右側枠部１４Ｒの円弧部分１４ｃを挟んで位置する下側前、後支え溝付きプーリ２５Ｆ，２５Ｒ側へ右側付勢機構３２Ｒによって押し付けられている。
【００１４】
上記した右側付勢機構３２Ｒは、右側取付板２４Ｒの左側脚部（４３Ｌ）側に取付具３３で回動可能に取り付けられ、左側脚部（４３Ｌ）側に上側支え溝付きプーリ２７が取り付けられた回動部材としての回動板３４と、右側取付板２４Ｒと回動板３４との間に架け渡され、上側支え溝付きプーリ２７を右側枠部１４Ｒの円弧部分１４ｃの上側に押し付ける付勢部材としてのコイルスプリング３５とで構成されている。
なお、右側付勢機構３２Ｒの回動板３４は、自身に設けられた切欠凹部３４ｎ内に位置するように、右側取付板２４Ｒの左側脚部（４３Ｌ）側に取り付けられた回動規制部材としての回動規制ピン３７によって回動範囲を規制されている。
【００１５】
図２または図４において、図示を省略した印刷機から排出される長尺な排紙を巻き取る巻き取り装置６１は、例えば、左側脚部４３Ｌに前側へ突出させて取り付けられた左側の支持枠６２Ｌと、この支持枠６２Ｌと水平方向で対向するように補強部材４４の前側に取り付けられた、図示を省略した右側の支持枠（６２Ｒ）と、この左右の支持枠６２Ｌ（，６２Ｒ）に回動可能に支持された巻き取り軸６３とを備えている。
なお、右側の支持枠（６２Ｒ）は、巻き取る排紙の幅に合わせて支持枠６２Ｌとの間隔を調節できるように、補強部材４４に沿って移動可能とされている。
そして、巻き取り軸６３を中心とした一点鎖線の円は、巻き取り範囲を示している。
【００１６】
次に、動作について説明する。
なお、図２に示す排紙を受ける使用状態において、巻き取り装置６１の図示を省略した右側の支持枠（６２Ｒ）は、排紙受け装置１１に衝合しない位置に移動させてある。
まず、図２に示す排紙を受ける使用状態において、左、右側脚部４３Ｌ（，４３Ｒ）の上に取り付けられた印刷機（図示を省略）から布２１の左上側に排紙が供給されると、印刷済みの排紙は布２１に案内されて布２１に沿って下側へ移動し、布２１の上に順次積層される。
そして、布２１の上に積層した排紙は、図２の左上側の印刷機と布２１（前側枠部１５Ｆ）との間から取り出すことができる。
【００１７】
なお、印刷機と布２１（前側枠部１５Ｆ）との間が狭く、印刷機と布２１（前側枠部１５Ｆ）との間から排紙を取り出すことができないときは、前側枠部１５Ｆを押し下げると、左、右側枠部１４Ｌ（，１４Ｒ）の円弧部分１４ｃが左、右側案内機構２３Ｌ（，２３Ｒ）の各支え溝付きプーリ２５Ｆ，２５Ｒ，２７、および各支え補助ローラ２６Ｆ，２６Ｒで案内されることにより、前側枠部１５Ｆを押し下げることができる。
したがって、前側枠部１５Ｆを少し押し下げ、印刷機と布２１（前側枠部１５Ｆ）との間を広げることにより、印刷機と布２１（前側枠部１５Ｆ）との間から布２１の上に積層した排紙を取り出すことができる。
【００１８】
このように、前側枠部１５Ｆを押し下げると、左、右側枠部１４Ｌ（，１４Ｒ）の円弧部分１４ｃから各上側支え溝付きプーリ２７に力が加わることにより、コイルスプリング３５が少し（僅かに）伸長して回動板３４が回動し、各上側支え溝付きプーリ２７が左、右側枠部１４Ｌ（，１４Ｒ）の円弧部分１４ｃから離れる方向へ少し（僅かに）移動するので、枠体１３をスムーズに移動させることができる。
そして、前側枠部１５Ｆを停止させると、左、右側枠部１４Ｌ（，１４Ｒ）の円弧部分１４ｃから各上側支え溝付きプーリ２７に力が加わらなくなることにより、コイルスプリング３５が少し（僅かに）収縮して回動板３４が回動し、各上側支え溝付きプーリ２７が左、右側枠部１４Ｌ（，１４Ｒ）の円弧部分１４ｃに接する方向へ少し（僅かに）移動するので、各上側支え溝付きプーリ２７は左、右側枠部１４Ｌ（，１４Ｒ）の円弧部分１４ｃにコイルスプリング３５の付勢力で押し付けられてブレーキとして機能するとともに、枠体１３をその位置にロックして固定することができる。
【００１９】
次に、布２１を、図２に示す排紙を受ける使用状態から排紙を受けない不使用状態にするために前側枠部１５Ｆを押し下げると、前述したように、左、右側付勢機構３２Ｌ（，３２Ｒ）が動作し、左、右側枠部１４Ｌ（，１４Ｒ）の円弧部分１４ｃが左、右側案内機構２３Ｌ（，２３Ｒ）の各支え溝付きプーリ２５Ｆ，２５Ｒ，２７、および各支え補助ローラ２６Ｆ，２６Ｒで案内されることにより、図４に示す状態（布２１が排紙を受けない不使用状態）にまで、すなわち、各円弧部分１４ｃの前端が各下側前支え溝付きプーリ２５Ｆに到達するまで前側枠部１５Ｆを押し下げ、後側枠部１５Ｒを上昇させることができる。
【００２０】
このように、前側枠部１５Ｆを押し下げて後側枠部１５Ｒを上昇させると、布２１が後側枠部１５Ｒの上側に位置するので、後側枠部１５Ｒが後側へ移動しながら上昇して布２１を床に接触しないように持ち上げる。
【００２１】
次に、布２１を、図４に示す排紙を受けない不使用状態から排紙を受ける使用状態にするために前側枠部１５Ｆを引き上げると、前述したように、左、右側付勢機構３２Ｌ（，３２Ｒ）が動作し、左、右側枠部１４Ｌ（，１４Ｒ）の円弧部分１４ｃが左、右側案内機構２３Ｌ（，２３Ｒ）の各支え溝付きプーリ２５Ｆ，２５Ｒ，２７、および各支え補助ローラ２６Ｆ，２６Ｒで案内されることにより、図２に示す状態（布２１が排紙を受ける使用状態）にまで、すなわち、各円弧部分１４ｃの後端が各下側後支え溝付きローラ２５Ｒに到達するまで前側枠部１５Ｆを引き上げ、上昇させることができる。
【００２２】
なお、巻き取り装置６１を使用して排紙を巻き取る場合は、布２１を、図４に示す排紙を受けない不使用状態にした後、右側の支持枠（６２Ｒ）を、巻き取る排紙の幅に合わせた位置に移動させて排紙を巻き取る。
【００２３】
上述したように、この発明の第１実施例によれば、布２１を支持する枠体１３の左、右側枠部１４Ｌ，１４Ｒの円弧部分１４ｃの前後方向への移動を左、右側案内機構２３Ｌ，２３Ｒで案内する構成としたので、左、右側案内機構２３Ｌ，２３Ｒを取り付け（装着す）る上下方向の位置を選択することにより、巻き取り装置に接触しないように排紙受け装置１１を取り付け（装着す）ることができる。
したがって、排紙受け装置１１と巻き取り装置６１とを印刷機の下側に取り付け（装着し）ておき、決まった大きさ（定尺）の排紙を排紙受け装置１１で受けることができ、長尺な排紙を巻き取り装置６１で巻き取ることができるようにすることができる。
また、布２１を支持する枠体１３の左、右側枠部１４Ｌ，１４Ｒの円弧部分１４ｃの前後方向への移動を左、右側案内機構２３Ｌ，２３Ｒで案内する構成としたので、使用状態（排紙を受ける状態）の枠体１３を間違えて後側へ押し込んでも、枠体１３の押し込み方向と枠体１３の移動方向とが一致せず、枠体１３および布２１が不使用状態（排紙を受けない状態）に移行せず、使い勝手のよいものになる。
また、枠体１３および布２１を使用状態から不使用状態に移行させても、枠体１３は印刷機の下側を左、右側案内機構２３Ｌ，２３Ｒで案内されて移動するので、すなわち、印刷機の下側の空間を枠体１３および布２１が横切らないので、例えば、巻き取り装置６１などを印刷機の下側の空間に配置することができ、印刷機の下側の空間を有効に利用することができる。
また、巻き取り装置６１などを印刷機の下側の空間に配置する場合、枠体１３および布２１を不使用状態にすることにより、印刷機の下側の空間の前面から枠体１３および布２１を移動させて印刷機の下側の空間の前面を開放させることができるので、巻き取り装置６１などの取付、取外、メンテナンスを効率よく簡単に行うことができる。
そして、布２１の前端部を枠体１３の前側枠部１５Ｆに取り付け、布２１を左、右側枠部１４Ｌ，１４Ｒに沿うように弛ませ、後側枠部１５Ｒの上側を通過させた後にその後端部を支持部材１８に取り付けたので、枠体１３を押し込んで左、右側案内機構２３Ｌ，２３Ｒで案内させ、枠体１３および布２１を不使用状態にすると、枠体１３の後側枠部１５Ｒが後側へ移動しながら上昇することにより、布２１を床に接触しないように後側枠部１５Ｒで持ち上げることができ、布２１の汚損を防止することができる。
さらに、左側案内機構２３Ｌを、左側枠部１４Ｌの円弧部分１４ｃを保持するように配置した下側前、後支え溝付きプーリ２５Ｆ，２５Ｒおよび上側支え溝付きプーリ２７で構成し、右側案内機構２３Ｒを、右側枠部１４Ｒの円弧部分１４ｃを保持するように配置した下側前、後支え溝付きプーリ２５Ｆ，２５Ｒおよび上側支え溝付きプーリ２７で構成するとともに、左、右側案内機構２３Ｌ，２３Ｒを構成する上側支え溝付きプーリ２７を、各円弧部分１４ｃを挟んで位置する左、右側案内機構２３Ｌ，２３Ｒを構成する下側前、後支え溝付きプーリ２５Ｆ，２５Ｒ側へコイルスプリング３５の付勢力によって押し付ける左、右側付勢機構３２Ｌ，３２Ｒを設けたので、上側支え溝付きプーリ２７がロック機構、ブレーキ機構として機能することとなり、枠体１３および布２１を任意の位置に安定した状態で停止させることができるとともに、枠体１３のがたつきを少なくすることができる。
そして、各案内部材を、溝付きプーリにしたので、左、右側枠部１４Ｌ，１４Ｒの円弧部分１４ｃと、下側前、後支え溝付きプーリ２５Ｆ，２５Ｒおよび上側支え溝付きプーリ２７との接触が転がり接触となることにより、操作性および耐久性を向上させることができる。
また、左側案内機構２３Ｌおよび左側付勢機構３２Ｌをユニット式にし、右側案内機構２３Ｒおよび右側付勢機構３２Ｒをユニット式にしたので、左、右側案内機構２３Ｌ，２３Ｒおよび左、右側付勢機構３２Ｌ，３２Ｒの取付、取外を簡単に行うことができる。
【００２４】
図７はこの発明の第２実施例である排紙受け装置の使用状態における構成部品の位置関係を示す説明図、図８はこの発明の第２実施例である排紙受け装置の不使用状態不使用状態における構成部品の位置関係を示す説明図であり、図１〜図６、図１３または図１４と同一または相当部分に同一符号を付し、その説明を省略する。
なお、図７は第１実施例の図２に対応し、図８は第１実施例の図４に対応している。
【００２５】
この実施例が第１実施例と異なるところは、左、右側枠部１４Ｌ（，１４Ｒ）に沿うように排紙受け部材としての布２１を弛ませて前、後側枠部１５Ｌ（，１５Ｒ）に布２１の前、後端部を取り付け、布２１の後端部を取り付ける支持部材（１８）および取付具（１９）を取り除いた点である。
【００２６】
この実施例の動作は、第１実施例と同様になるので、説明を省略する。
なお、この実施例においては、印刷機の後側に第１実施例よりも多くの空間を必要とするものの、第１実施例と同様な効果を得ることができる。
【００２７】
図９（ａ），（ｂ）はこの発明の第３実施例である排紙受け装置の左、右側案内機構を構成する案内部材を示す正面図および斜視図である。
【００２８】
図９において、案内部材としての支え部材２８は、図５に示す下側前支え溝付きプーリ２５Ｆおよび下側後支え溝付きプーリ２５Ｒに代えて左側枠部（１４Ｌ）の円弧部分（１４ｃ）を下側から溝部で支える案内部材または下側支え部材として使用したり、図５に示す上側支え溝付きプーリ２７に代えて左側枠部（１４Ｌ）の円弧部分（１４ｃ）を上側から溝部で支える案内部材または上側支え部材として使用したり、図６に示す下側前支え溝付きプーリ２５Ｆおよび下側後支え溝付きプーリ２５Ｒに代えて右側枠部（１４Ｒ）の円弧部分（１４ｃ）を下側から溝部で支える案内部材または下側支え部材として使用したり、図６に示す上側支え溝付きプーリ２７に代えて右側枠部（１４Ｒ）の円弧部分（１４ｃ）を上側から溝部で支える案内部材または上側支え部材として使用するものである。
【００２９】
この支え部材２８を用いて構成した左、右案内機構（２３Ｌ，２３Ｒ）を備えた排紙受け装置（１１）の動作は、第１実施例と同様になるので、説明を省略する。
なお、この支え部材２８を用いて構成した左、右案内機構（２３Ｌ，２３Ｒ）を備えた排紙受け装置（１１）においても、第１実施例と同様な効果を得ることができる。
【００３０】
図１０（ａ），（ｂ）はこの発明の第４実施例である排紙受け装置の左、右側案内機構を構成する案内部材を示す正面図および斜視図である。
【００３１】
図１０において、案内部材としての上側支え部材２９は、図５に示す上側支え溝付きプーリ２７に代えて左側枠部（１４Ｌ）の円弧部分（１４ｃ）に上側から接する案内部材として使用したり、図６に示す上側支え溝付きプーリ２７に代えて右側枠部（１４Ｒ）の円弧部分（１４ｃ）に上側から接する案内部材として使用するものである。
【００３２】
この上側支え部材２９を用いて構成した左、右案内機構（２３Ｌ，２３Ｒ）を備えた排紙受け装置（１１）の動作は、第１実施例と同様になるので、説明を省略する。
なお、この上側支え部材２９を用いて構成した左、右案内機構（２３Ｌ，２３Ｒ）を備えた排紙受け装置（１１）においても、第１実施例と同様な効果を得ることができる。
【００３３】
図１１はこの発明の第５実施例である排紙受け装置の左側案内機構の構成を示す説明図、図１２はこの発明の第５実施例である排紙受け装置の右側案内機構の構成を示す説明図であり、図１〜図１０、図１３または図１４と同一または相当部分に同一符号を付してある。
なお、この排紙受け装置の他の部分は、第１実施例または第２実施例と同じ構成とされている。
【００３４】
図１１において、左側案内機構２３Ｌは、左側脚部４３Ｌの下内側に右側脚部（４３Ｒ）に対向させて取り付けられる取付部材としての左側取付板２４Ｌと、この左側取付板２４Ｌの右側脚部（４３Ｒ）側に取り付けられ、左側枠部１４Ｌの円弧部分１４ｃを保持して案内する前案内部材３０Ｆおよび後案内部材３０Ｒと、この前案内部材３０Ｆと後案内部材３０Ｒとの間に位置し、左側枠部１４Ｌの円弧部分１４ｃの上側に接する案内部材または支え部材としての上側支え溝付きプーリ２７とで構成されている。
そして、左側案内機構２３Ｌの上側支え溝付きプーリ２７は、左側枠部１４Ｌの円弧部分１４ｃを挟んで位置する前案内部材３０Ｆの下側および後案内部材３０Ｒの下側へ左側付勢機構３２Ｌによって押し付けられている。
【００３５】
上記した左側付勢機構３２Ｌは、左側取付板２４Ｌの右側脚部（４３Ｒ）側に取付具３３で回動可能に取り付けられ、右側脚部（４３Ｒ）側に上側支え溝付きプーリ２７が取り付けられた回動部材としての回動板３４と、左側取付板２４Ｌと回動板３４との間に架け渡され、上側支え溝付きプーリ２７を左側枠部１４Ｌの円弧部分１４ｃの上側に押し付ける付勢部材としてのコイルスプリング３５とで構成されている。
なお、左側付勢機構３２Ｌの回動板３４は、自身に設けられた切欠凹部３４ｎ内に位置するように、左側取付板２４Ｌの右側脚部（４３Ｒ）側に取り付けられた回動規制部材としての回動規制ピン３７によって回動範囲を規制されている。
【００３６】
また、右側案内機構２３Ｒは、右側脚部４３Ｒの下内側に左側脚部（４３Ｌ）に対向させて取り付けられる取付部材としての右側取付板２４Ｒと、この右側取付板２４Ｒの左側脚部（４３Ｌ）側に取り付けられ、右側枠部１４Ｒの円弧部分１４ｃを保持して案内する前案内部材３０Ｆおよび後案内部材３０Ｒと、この前案内部材３０Ｆと後案内部材３０Ｒとの間に位置し、右側枠部１４Ｒの円弧部分１４ｃの上側に接する案内部材または支え部材としての上側支え溝付きプーリ２７とで構成されている。
そして、右側案内機構２３Ｒの上側支え溝付きプーリ２７は、右側枠部１４Ｒの円弧部分１４ｃを挟んで位置する前案内部材３０Ｆの下側および後案内部材３０Ｒの下側へ右側付勢機構３２Ｒによって押し付けられている。
【００３７】
上記した右側付勢機構３２Ｒは、右側取付板２４Ｒの左側脚部（４３Ｌ）側に取付具３３で回動可能に取り付けられ、左側脚部（４３Ｌ）側に上側支え溝付きプーリ２７が取り付けられた回動部材としての回動板３４と、右側取付板２４Ｒと回動板３４との間に架け渡され、上側支え溝付きプーリ２７を右側枠部１４Ｒの円弧部分１４ｃの上側に押し付ける付勢部材としてのコイルスプリング３５とで構成されている。
なお、右側付勢機構３２Ｒの回動板３４は、自身に設けられた切欠凹部３４ｎ内に位置するように、右側取付板２４Ｒの左側脚部（４３Ｌ）側に取り付けられた回動規制部材としての回動規制ピン３７によって回動範囲を規制されている。
【００３８】
この上側支え溝付きプーリ２７および前、後案内部材３０を用いて構成した左、右案内機構２３Ｌ，２３Ｒを備えた排紙受け装置（１１）の動作は、第１実施例と同様になるので、説明を省略する。
なお、上側支え溝付きプーリ２７および前、後案内部材３０を用いて構成した左、右案内機構２３Ｌ，２３Ｒを備えた排紙受け装置（１１）においても、第１実施例と同様な効果を得ることができる。
【００３９】
上記した実施例では、円弧部分１４ｃの前後に直線部分１４ｓを有する左、右側枠部１４Ｌ，１４Ｒとした例を示したが、左、右側枠部は、円弧部分のみであっても、円弧部分の前側のみに直線部分があっても、または、円弧部分の後側のみに直線部分がある構成でもよい。
そして、左、右側枠部１４Ｌ，１４Ｒと前、後側枠部１５Ｆ，１５Ｒとを連結具１６で連結して枠部１３とした例を示したが、左、右側枠部と前、後側枠部とが連続した一体物であってもよい。
また、左側案内機構２３Ｌおよび左側付勢機構３２Ｌをユニット式にし、右側案内機構２３Ｒおよび右側付勢機構３２Ｒをユニット式にした例を示したが、各支え溝付きプーリ２５Ｆ，２５Ｒ〜回動規制ピン３７を、左、右側脚部４３Ｌ，４３Ｒに直接取り付ける構成にしてもよい。
さらに、左、右側案内機構２３Ｌ，２３Ｒを、下側前、後溝付きプーリ２５Ｆ，２５Ｒおよび上側支え溝付きプーリ２７で構成したり、支え部材２８で構成したり、２つの溝付きプーリ２５Ｆ，２５Ｒおよび上側支えプーリ２９で構成したり、前、後案内部材３０Ｆ，３０Ｒおよび上側支え溝付きプーリ２７で構成した例を示したが、左、右側案内機構２３Ｌ，２３Ｒの一方を、下側前、後溝付きプーリ２５Ｆ，２５Ｒまたは支え部材２８（下側支え部材）と、上側支え溝付きプーリ２７または支え部材２８（上側支え部材）とで構成し、左、右側案内機構２３Ｌ，２３Ｒの他方を、下側前、後溝付きプーリ２５Ｆ，２５Ｒまたは支え部材２８（下側支え部材）と、上側支えプーリ２９とで構成してもよい。
そして、上側支え溝付きプーリ２７、支え部材２８または上側支え部材２９を左、右側枠部１４Ｌ，１４Ｒの円弧部分１４ｃに押し付ける付勢部材をコイルスプリング３５とした例を示したが、同様に機能するものであれば他のもの、例えば、案内部材（上側支え部材または支え部材）を付勢できる合成樹脂などで構成した弾性体などであってもよい。
さらに、左側付勢機構３２Ｌおよび右側付勢機構３２Ｒを設けた例を示したが、左側付勢機構３２Ｌと右側付勢機構３２Ｒとの少なくとも一方を設けることにより、同様な効果を得ることができる。
また、左、右側脚部４３Ｌ，４３Ｒを印刷機の下側に直接取り付けた例を示したが、図１３および図１４に示すように、左、右側脚部４３Ｌ，４３Ｒを天板４２に取り付け、この天板４２の上に印刷機を載置または取り付けてもよい。
そして、左右、前後を入れ換えた構成にしても、同様に動作させて、同様な効果を得ることができる。
なお、第５実施例において、左側枠部１４Ｌの円弧部分１４ｃまたは右側枠部１４Ｒの円弧部分１４ｃを保持して案内する前案内部材３０Ｆおよび後案内部材３０Ｒを一体ものとした例を示したが、案内部材を上下の２つに分割して、左側枠部１４Ｌの円弧部分１４ｃまたは右側枠部１４Ｒの円弧部分１４ｃを保持して案内できる構成にしてもよい。
【図面の簡単な説明】
【００４０】
【図１】この発明の第１実施例である排紙受け装置の使用状態を示す斜視図である。
【図２】図１の使用状態における排紙受け装置の構成部品の位置関係を示す説明図である。
【図３】この発明の第１実施例である排紙受け装置の不使用状態を示す斜視図である。
【図４】図３の不使用状態における排紙受け装置の構成部品の位置関係を示す説明図である。
【図５】左側案内機構の構成を示す説明図である。
【図６】右側案内機構の構成を示す説明図である。
【図７】この発明の第２実施例である排紙受け装置の使用状態における構成部品の位置関係を示す説明図である。
【図８】この発明の第２実施例である排紙受け装置の不使用状態不使用状態における構成部品の位置関係を示す説明図である。
【図９】（ａ），（ｂ）はこの発明の第３実施例である排紙受け装置の左、右側案内機構を構成する案内部材を示す正面図および斜視図である。
【図１０】（ａ），（ｂ）はこの発明の第４実施例である排紙受け装置の左、右側案内機構を構成する案内部材を示す正面図および斜視図である。
【図１１】この発明の第５実施例である排紙受け装置の左側案内機構の構成を示す説明図である。
【図１２】この発明の第５実施例である排紙受け装置の右側案内機構の構成を示す説明図である。
【図１３】従来の排紙受け装置の一例における使用状態を示す説明図である。
【図１４】従来の排紙受け装置の一例における不使用状態を示す説明図である。
【符号の説明】
【００４１】
１１    排紙受け装置
１３    枠体
１４Ｌ  左側枠部
１４Ｒ  右側枠部
１４ｃ  円弧部分
１４ｓ  直線部分
１５Ｆ  前側枠部
１５Ｒ  後側枠部
１６    連結具
１８    支持部材
１９    取付具
２１    布（排紙受け部材）
２３Ｌ  左側案内機構
２３Ｒ  右側案内機構
２４Ｌ  左側取付板（取付部材）
２４Ｒ  右側取付板（取付部材）
２５Ｆ  下側前支え溝付きプーリ（案内部材、下側前支え部材、下側支え部材）
２５Ｒ  下側後支え溝付きプーリ（案内部材、下側後支え部材、下側支え部材）
２６Ｆ  下側前支え補助ローラ（案内補助部材、下側支え補助部材）
２６Ｒ  下側後支え補助ローラ（案内補助部材、下側支え補助部材）
２７    上側支え溝付きプーリ（案内部材、上側支え部材、支え部材）
２８    支え部材（案内部材、下側支え部材、上側支え部材）
２９    上側支え部材（案内部材）
３０Ｆ  前案内部材
３０Ｒ  後案内部材
３２Ｌ  左側付勢機構
３２Ｒ  右側付勢機構
３３    取付具
３４    回動板（回動部材）
３４ｎ  切欠凹部
３５    コイルスプリング（付勢部材）
３７    回動規制ピン（回動規制部材）
４１    支持台
４２    天板
４３Ｌ  左側脚部
４３Ｒ  右側脚部
４４    補強部材
４５    キャスタ
５１    排紙受け装置
５２    支持部材
５３    取付具
５４    回動部材
５４ａ  上側水平部
５５    排紙受け部材
５６    回動規制部
６１    巻き取り装置
６２Ｌ  支持枠
６３    巻き取り軸
【図１】
2008290857.tif 000003
【図２】
2008290857.tif 000004
【図３】
2008290857.tif 000005
【図４】
2008290857.tif 000006
【図５】
2008290857.tif 000007
【図６】
2008290857.tif 000008
【図７】
2008290857.tif 000009
【図８】
2008290857.tif 000010
【図９】
2008290857.tif 000011
【図１０】
2008290857.tif 000012
【図１１】
2008290857.tif 000013
【図１２】
2008290857.tif 000014
【図１３】
2008290857.tif 000015
【図１４】
2008290857.tif 000016